(57)【要約】【課題】  本発明は餌木に係り、上下にギグザグに動かして獲物を誘う餌木の動きに合わせて効率よくラトル音を発生させることのできる餌木を提供することを目的とする。【解決手段】  請求項１に係る発明は、本体の頭部寄りの腹部に錘を下方に向けて突設した餌木に於て、上記本体の重心の前方側と後方側に、本体の上下方向に亘って空間部を設け、当該空間部に、ラトルを本体の上下方向へ移動可能に収納したことを特徴とする。そして、請求項２に係る発明は、請求項１に記載の餌木に於て、本体の前方側と後方側に設けた空間部の間に、本体の前後方向に亘って空間部を設け、当該空間部に、ラトルを本体の前後方向へ移動可能に収納したことを特徴とし、請求項３に係る発明は、請求項１または請求項２に記載の餌木に於て、空間部は、内部にラトルを収納したカプセルで形成されていることを特徴とする。【選択図】    図３
2005058124.tif 000002
【特許請求の範囲】
【請求項１】
本体の頭部寄りの腹部に錘を下方に向けて突設した餌木に於て、上記本体の重心の前方側と後方側に、本体の上下方向に亘って空間部を設け、当該空間部に、ラトルを本体の上下方向へ移動可能に収納したことを特徴とする餌木。
【請求項２】
本体の前方側と後方側に設けた空間部の間に、本体の前後方向に亘って空間部を設け、当該空間部に、ラトルを本体の前後方向へ移動可能に収納したことを特徴とする請求項１に記載の餌木。
【請求項３】
空間部は、内部にラトルを収納したカプセルで形成されていることを特徴とする請求項１または請求項２に記載の餌木。
【発明の詳細な説明】
【技術分野】
【０００１】
本発明は、主としてイカ釣りに用いる餌木に関する。
【背景技術】
【０００２】
イカは、海中で動く小魚やエビ類等を主に捕食するが、特に海中をゆっくり沈下している餌によく抱き付く習性がある。そこで、従来、アオリイカ釣り等は、この習性を利用して餌木を用いたイカ釣りが広く行われている。
餌木は、エビや魚に似せて本体を合成樹脂や木材で形成して、その前端と後端に、夫々、釣糸止着部と掛け針を取り付けると共に、頭部寄りの腹部に餌木を水中沈下させるための錘を設けて構成されており、錘は板状に形成されて両面が本体の左右に向かうように本体から下方に突出し、その両面に受ける水の抵抗で餌木が左右にぶれないようにバランスをとる舵の役目も果たしている。
【０００３】
そして、餌木を用いたアオリイカの釣法は、釣糸に取り付けた餌木を海中にキャストした後、釣竿を操って餌木を海面方向にしゃくり上げては再び沈下させる等の動作を繰り返していくのが一般的で、既述したように餌木は頭部寄りの腹部に錘が突出されているため、釣糸を引かない状態で前側を斜め下方に向けて沈下し、釣糸を引くことで前側を上方に向けさせることができる。
【０００４】
このため、上述の如く餌木を海中にキャストした後、釣竿を操って餌木を海面方向にしゃくり上げては再び沈下させる動作を繰り返せば、餌木が海中で上下にギグザグに動いてイカを誘うこととなる。
そして、特許文献１には、本体全体を空洞体（中空状）に形成し、その内部に複数の小球からなる移動錘を収納して、餌木の傾きに応じた移動錘の転動による餌木の複雑な泳動を図ると共に、移動錘同士の衝突音による音響効果を狙った餌木が開示されている。
【特許文献１】特開２００２−２０４６３３号公報
【発明の開示】
【発明が解決しようとする課題】
【０００５】
しかし乍ら、特許文献１に開示された餌木は、移動錘の寸法に比し本体全体を広い空洞体にした構造上、餌木に動きを与えると移動錘は不規則に動いて移動錘同士が効率よく衝突せず、また、衝突音の発生も不規則で獲物を誘う音響効果が期待できないのが実情であった。
本発明は斯かる実情に鑑み案出されたもので、上下にギグザグに動かして獲物を誘う餌木の動きに合わせて効率よくラトル音を発生させることのできる餌木を提供することを目的とする。
【課題を解決するための手段】
【０００６】
斯かる目的を達成するため、請求項１に係る発明は、本体の頭部寄りの腹部に錘を下方に向けて突設した餌木に於て、上記本体の重心の前方側と後方側に、本体の上下方向に亘って空間部を設け、当該空間部に、ラトルを本体の上下方向へ移動可能に収納したことを特徴とする。
そして、請求項２に係る発明は、請求項１に記載の餌木に於て、本体の前方側と後方側に設けた空間部の間に、本体の前後方向に亘って空間部を設け、当該空間部に、ラトルを本体の前後方向へ移動可能に収納したことを特徴とし、請求項３に係る発明は、請求項１または請求項２に記載の餌木に於て、空間部は、内部にラトルを収納したカプセルで形成されていることを特徴とする。
【発明の効果】
【０００７】
各請求項に係る発明によれば、餌木の動きに合わせて効率よく規則的にラトル音を発生させることが可能となり、獲物を誘う効果が向上する利点を有する。
そして、請求項２に係る発明にあっては、重心に近い本体の中央部でもラトル音を発生させることができるため、音響効果が更に効果的である。
また、請求項３に係る発明によれば、餌木本体へのラトルの組込みが容易である利点を有する。
【発明を実施するための最良の形態】
【０００８】
以下、本発明の実施形態を図面に基づいて詳細に説明する。
図１乃至図５は請求項１乃至請求項３に係る餌木の第一実施形態を示し、図１に於て、１はエビや魚に似せて形成された餌木３の本体で、浮力を持たせるため本体１は発泡合成樹脂で一体に形成されている。そして、本体１の前端にリング状の釣糸止着部５が取り付けられ、本体１の後端に掛け針７が取り付けられている。
【０００９】
そして、頭部寄りの腹部（下側）には錘９が取り付けられており、錘９は餌木３を水中沈下させるに足る重量を有し、また、図２に示すように錘９はその両面に水の抵抗面９ａ，９ｂを有する板状に成形されて、左右の抵抗面９ａ，９ｂが本体１の左右に向かうように本体１から下方に突出しており、錘９は抵抗面９ａ，９ｂに受ける水の抵抗で餌木３が左右にぶれないようにバランスをとる舵の役目も果たしている。
【００１０】
尚、錘９を設けた本体１の頭部寄りは、本体１の前後方向の中央より前端側が該当し、錘９の位置はその範囲にて適宜決めることができる。
また、本体１は、生き物らしい外観を持たせるためにその表面に布や箔等が貼着されたり、着色が施されている。そして、両眼部に当たる部位に目玉１１が取り付き、鳥の羽等からなる誘魚用の飾り羽毛１３が頭部側の両側部に取り付けられており、このように釣糸止着部５や掛け針７，錘９，目玉１１，飾り羽毛１３等が装着された餌木３は、本体１の前後方向の略中央に重心Ｇを有している。
【００１１】
そして、図３に示すように本体１には、重心Ｇを挟んでその前方側と後方側に、本体底部から上方へ円柱状に開口する孔１５，１７が設けられている。そして、両孔１５，１７に、夫々、ラトル（球状体）１９が移動自在に収納されたカプセル２１が挿入されており、カプセル２１は孔１５，１７に隙間なく嵌合し、孔１５，１７の開口は樹脂２３で閉塞されてカプセル２１の固着が図られている。
【００１２】
カプセル２１は、内部が密閉された中空な筒状の外殻体であり、密閉された内部に一方向に延びる空間部（通路）２５を有し、この空間部２５に、金属，ガラス，合成樹脂等で成形された２個の球状体からなる前記ラトル１９が移動自在に収納されて、衝突して音を出すようになっている。そして、カプセル２１は金属，ガラス，合成樹脂等で成形されている。
【００１３】
尚、ラトル１９は空間部２５に１個だけ収納されている場合でも、カプセル２１の内壁と衝突して音を出すことができるが、ラトル１９が複数個収納されていると、ラトル１９同士が衝突して音響効果が高い。
そして、斯様にカプセル２１内に収納されたラトル１９は移動によって並ぶ順番が変わるように構成してもよいが、本実施形態は、ラトル１９同士の順番が変わらないようにカプセル２１内に収納してあり、このようにラトル１９を配置すると、前後のカプセル２１のラトル１９同士の衝突のタイミングが揃うため、ラトル音の発生が規則的になって獲物を誘う効果が上がる。
【００１４】
このように本実施形態は、重心Ｇを挟んで本体１の前方側と後方側に設けた孔１５，１７に、ラトル１９を収納したカプセル２１を差し込むことで、夫々に本体１の上下方向に延びたラトル１９入りの空間部２５が形成される。
更に、図３に示すように重心Ｇに近い本体１の略中央の腹部（下側）には、本体１の前後方向に沿って断面半円形状の孔２７が形成され、当該孔２７内に、ラトル１９が移動自在に収納された空間部２５を有する前記カプセル２１が本体１の前後方向に沿って挿着されており、孔２７の開口は同じく樹脂２３で閉塞されてカプセル２１の固着が図られている。
【００１５】
そして、樹脂２３を覆って、既述したように本体１の表面に布や箔等が貼着されたり、着色が施されて餌木３が形成されている。
尚、この本体１の前後方向に移動自在のラトル１９は、キャスト時に本体１の後方に移動するため、その分重量が後方に移動して飛距離を延ばすことができる。
本実施形態に係る餌木３はこのように構成されているから、この餌木３を使って釣りを行うには、釣糸止着部５に釣糸を止着して餌木３を海中にキャストした後、従来と同様、釣竿を操って餌木３を海面方向にしゃくり上げては再び沈下させる等の動作を繰り返していけばよく、図４及び図５に示すように餌木３は、釣糸２９を引かない状態で前側を斜め下方に向けて沈下し、釣糸２９を引くことで前側を上方に向けて上昇し、重心Ｇを中心に回動するように上下方向に向きを変えてその前方側と後方側が上下方向に振られる。
【００１６】
そして、この餌木３の動きが、重心Ｇを挟んで本体１の前方側と後方側に挿着したカプセル２１内のラトル１９の移動方向と一致し、また、本体１の前後方向に沿って挿着されたカプセル２１内のラトル１９の移動方向とも一致するため、夫々のラトル１９が効率よく衝突してラトル音が発生する。
而も、ラトル１９は、ラトル１９同士の順番が変わらないようにカプセル２１内に収納されているため、重心Ｇを挟んで本体１の前方側と後方側に挿着したカプセル２１のラトル１９同士の衝突のタイミングが揃って、ラトル音が規則的に発生する。
【００１７】
従って、本実施形態によれば、従来に比し餌木３の動きに合わせて効率よく規則的にラトル音を発生させることが可能となり、獲物を誘う効果が向上する利点を有する。
尚、既述したように本実施形態は、重心Ｇに近い本体１の略中央の底部にカプセル２１を本体１の前後方向に沿って挿着したが、このカプセル２１に代え、本体１に直接空間部を形成してこの空間部にラトルを収納してもよいし、これらのカプセル２１や空間部，ラトル等を省略してもよい。但し、斯様にカプセル２１等を配置することで、重心Ｇに近い本体１の中央部に於てもラトル音を発生させることができるため効果的である。
【００１８】
また、本実施形態は、孔１５，１７，２７にカプセル２１を挿着することで本体１内にラトル１９を組み込むことができるため、製造に当たって、本体１へのラトル１９の組込みが容易である利点を有する。
図６は請求項１乃至請求項３の第二実施形態に係る餌木の断面図を示し、本実施形態に係る餌木３１は、内部を中空にした合成樹脂の外殻体で本体３３を形成して浮力を持たせたもので、本体３３は左右一対の半割れ体３５を最中合わせに接合してエビや魚に似せた形状に形成されている。
【００１９】
尚、図１の実施形態と同一のものは同一符号を以って表示する。
そして、本体３３の前端と後端に、夫々、釣糸止着部５と掛け針７が取り付けられている。
また、頭部寄りの腹部には、一対の半割れ体３５を接合して凹状の錘取付部３７が設けられており、当該錘取付部３７に、左右の両面が本体３３の左右に向かうように錘９が下方に突出して取り付けられている。そして、図１の実施形態と同様、両眼部に当たる部位に目玉が取り付き、鳥の羽等からなる誘魚用の飾り羽毛が頭部側の両側部に取り付けられており、このように釣糸止着部５や掛け針７，錘９，目玉，飾り羽毛等が装着された餌木３１は、本体３３の略中央に重心Ｇを有している。
【００２０】
そして、図示するように本体３３には、重心Ｇを挟んでその前方側と後方側に、本体底部から上方へ円柱状に開口する孔３９，４１が設けられている。
これらの孔３９，４１は一対の半割れ体３５を接合して形成されたもので、左右の半割れ体３５には、夫々、孔３９，４１を区画形成する隔壁４３，４５，４７，４９が対向して設けられている。そして、図１の餌木３と同様、両孔３９，４１に、夫々、ラトル１９が移動自在に収納されたカプセル２１が挿入されており、カプセル２１は孔３９，４１に隙間なく嵌合し、孔３９，４１の開口は樹脂２３で閉塞されてカプセル２１の固着が図られている。
【００２１】
このように本実施形態も、重心Ｇを挟んで本体３３の前方側と後方側に設けた孔３９，４１に、ラトル１９を収納したカプセル２１を差し込むことで、夫々に本体３３の上下方向に延びたラトル１９入りの空間部２５が形成されている。
また、重心Ｇに近い本体３３の略中央の腹部（下側）には、本体３３の前後方向に沿って断面半円形状の孔５１が形成されており、この孔５１も半割れ体３５を接合して形成されたもので、左右の半割れ体３５には孔５１を区画形成するコ字状の隔壁５３が対向して設けられている。そして、上記孔５１内に前記カプセル２１が本体３３の前後方向に沿って挿着されており、孔５１の開口は同じく樹脂２３で閉塞されてカプセル２１の固着が図られている。
【００２２】
そして、本実施形態に於ても、樹脂２３を覆って本体３３の表面に布や箔等が貼着されたり、着色が施されて餌木３１が形成されている。
本実施形態に係る餌木３１はこのように構成されているから、釣糸止着部５に釣糸を止着して餌木３１を海中にキャストした後、釣竿を操って海面方向にしゃくり上げては再び沈下させる等の動作を繰り返していけばよく、図１の餌木３と同様、餌木３１は重心Ｇを中心に回動するように上下方向に向きを変えてその前方側と後方側が上下方向に振られる。
【００２３】
そして、この餌木３１の動きが、重心Ｇを挟んで本体３３の前方側と後方側に挿着したカプセル２１内のラトル１９の移動方向と一致し、また、本体３３の前後方向に沿って挿着されたカプセル２１内のラトル１９の移動方向とも一致するため、夫々のラトル１９が効率よく衝突してラトル音が発生する。
而も、ラトル１９は、ラトル１９同士の順番が変わらないようにカプセル２１内に収納されているため、重心Ｇを挟んで本体３３の前方側と後方側に挿着したカプセル２１のラトル１９同士の衝突のタイミングが揃って、ラトル音が規則的に発生する。
【００２４】
従って、本実施形態によっても、従来に比し餌木３１の動きに合わせて効率よく規則的にラトル音を発生させることが可能となって、獲物を誘う効果が向上する利点を有する。
また、本実施形態にあっても、孔３９，４１，５１にカプセル２１を挿着することで本体３３内にラトル１９を組み込むことができるため、製造に当たり、本体３３へのラトル１９の組込みが容易である利点を有する。
【図面の簡単な説明】
【００２５】
【図１】請求項１乃至請求項３の第一実施形態に係る餌木の側面図である。
【図２】図１のII−II線断面図である。
【図３】図１の餌木の断面図である。
【図４】図１の餌木の動きを示す説明図である。
【図５】図１の餌木の動きを示す説明図である。
【図６】請求項１乃至請求項３の第二実施形態に係る餌木の断面図である。
【符号の説明】
【００２６】
１，３３  本体
３，３１  餌木
５  釣糸止着部
７  掛け針
９  錘
１５，１７，２７  孔
１９  ラトル
２１  カプセル
２５  空間部
２９  釣糸
３５  半割れ体
３７  錘取付部
３９，４１，５１  孔
４３，４５，４７，４９，５３  隔壁
【図１】
2005058124.tif 000003
【図２】
2005058124.tif 000004
【図３】
2005058124.tif 000005
【図４】
2005058124.tif 000006
【図５】
2005058124.tif 000007
【図６】
2005058124.tif 000008